(57)【要約】【課題】  本考案は、化粧品をコンパクトに一つに纏めて、持ち運びに便利で使い易く利便性の高い多機能式化粧品用容器を提供する。【解決手段】第１ケーシング１０、少なくとも１つの第２ケーシング２０、化粧品ユニット３０から構成され、第１ケーシング１０には内部開口室１１が形成され、第２ケーシングには内部開口室２２が形成され、第１ケーシング１０にそれぞれ第２ケーシング２０が着脱可能に配置されている。化粧品ユニット３０は第１及び第２ケーシング１０，２０の内部開口室１１，２２の中にそれぞれ配置され、各々の化粧品ユニット３０には異なる化粧品が入れられ、これら化粧品ユニットをコンパクトに一つに纏めて結合させることにより、化粧品ユニットが携帯し易く便利になる構成とした。【選択図】    図１
0003127399.tif 000002
【実用新案登録請求の範囲】
【請求項１】
多機能式化粧品用容器であって、前記容器が、
少なくとも上面部、底面部のいずれかに開口部を有し、相対向する側壁部と、その内部に限定され内壁面を有する内部開口室と、該内部開口室の内壁面に限定された少なくとも１個の係合凹部とを有する第１ケーシングと、
少なくとも１つの係合凹部に対してそれぞれ対応し、前記相対向する外側壁部に限定された少なくとも１つの係止用の接合面であって、係止用の接合面を貫通して限定され前記内部開口室にある少なくとも１つの係合凹部の一つと連通するフック用スロットと、係止用の接合面に形成された摺動用フックとを有する係止用の接合面と、
前記第１ケーシングに摺動可能に着脱可能に設置され、前記第１ケーシングに係止用の接合面にそれぞれ対応する少なくとも第２ケーシングであって、前記第２ケーシングが、少なくとも上面部、底面部のいずれかに開口部を有し、前記第２ケーシング内部に限定され内壁面を有する内部開口室を有し、前記第２ケーシングの内部開口室の外側壁面には前記第１ケーシングの係止用の接合面と対応して摺動可能に係合するように係止用の接合面が形成され、前記第２ケーシングの係止用の接合面には、第２ケーシングの係止用の接合面を貫通して、第２ケーシングにある係合凹部と連通し、前記第１ケーシング上の対応する係止用の接合面に摺動用フックを摺動可能に保持するフック用スロットと、      
第２ケーシングの係止用の接合面に形成され、前記第１ケーシングの係止用の接合面に形成した前記フック用スロットを貫通して摺動可能に伸張し、前記第１ケーシングの少なくとも１つの係合凹部の内の対応する凹部に引っかかるようになる摺動用フックを有する第２ケーシングと、
前記第１および第２ケーシングにそれぞれ対応して配置され、それぞれの内部開口室に着脱可能に配置される化粧品ユニットであって、個々の化粧ユニットが、
前記第１および第２ケーシングの対応するケーシングの内部開口室に着脱可能に設置される内部中空の本体部と、
前記第１および第２ケーシングの対応するケーシングに隣接して着脱可能に設置され、該第１および第２ケーシングの対応するケーシングの内部開口室を覆い、前記本体部を着脱可能に保持するように形成された保持用孔を有するキャップ部とを有しており、
前記第１ケーシングの少なくとも一つの係止用の接合面は、それぞれ、更に、
前記係止用の接合面には、前記フック用スロットと摺動フックとの間に摺動用スロットが形成されており、
前記摺動用スロットの内部表面には、弾性を有する弾撥タブが２個、該摺動用スロットから外部に向けて形成されており、
前記第２ケーシングの少なくとも一つの係止用の接合面は、それぞれ、更に、
スライドが形成されていて、前記第１ケーシングの対応する係止用の接合面にある摺動用スロットに摺動可能に配置され、前記スライドには位置決めノッチが形成され、前記第１ケーシングの対応する係止用の接合面に形成された位置決め用ボスの内の１つと選択的に係合するようにしたことを特徴とする多機能式化粧品用容器。
【請求項２】
前記第１ケーシングは、その相対向する側壁部の内の一側部のみに係合凹部及び係止用の接合面が形成されており、
前記多機能式化粧品用容器は、第１ケーシングの単一係止用の接合面に対応するに単一の第２ケーシングと、
第１および第２係合に対応する２つの化粧ユニットと、
を有することを特徴とする請求項１に記載の多機能式化粧品用容器。
【請求項３】
第１ケーシングには、その相対向する両側壁部それぞれに係合凹部及び係止用の接合面が形成されており、１個の第１ケーシングと２個の第２ケーシングとに対応して３個の化粧品ユニットが配置されることを特徴とする請求項１に記載の多機能式化粧品用容器。
【考案の詳細な説明】
【技術分野】
【０００１】
本考案は化粧品用容器に関し、特に、持ち運びに便利で使い易く利便性の高い多機能式化粧品用容器に関するものである。
【背景技術】
【０００２】
米国特許Ｄ３１１７８７に開示されている従来の多機能式化粧品集成体の瓶部は、内部が２つの内部開口室に分割されていて、この２つの内部開口室からそれぞれノズルが突出し、各々のノズルにキャップが嵌められるように構成されており、それぞれに異なる２種類の化粧品が各内部開口室内に充填できるようになっている。
しかし、これらノズルは両方とも外部に突出しているので、化粧瓶を取り扱うのに不便である。
また、別の米国特許第６，７２６，０１６号は、相対向して配置された容器体から成る容器集成体を開示している。これら２つの容器体は反対方向へ押して滑らせると、ノズルが露出され、容器体に入っている香水をスプレーできるようになる。このように、この米国特許の容器体は、それぞれの容器体の中に別々の香水を収容できるように設計されているので、このような容器集成体により、使用者は２種類の異なった香水の入った瓶容器を外出先などに非常に便利に持ち出して使用することができし、容器体の香水瓶を所望時に望みのものに取り代えることもできる。
とは言え、容器体、キャップ、接合板等々を備えた容器集成体は構成が複雑で、製造コストが高い。また、香水瓶を取り代えるときには、キャップを外さなければならないので、これもまた面倒なことである。
本願考案は、前述した問題点を軽減したりなくすための多機能式化粧品用容器を提供するものである。
【特許文献１】米国特許Ｄ３１１７８７号
【特許文献２】米国特許第６，７２６，０１６号
【考案の開示】
【考案が解決しようとする課題】
【０００３】
本考案の主な目的は、第１のケーシングと、少なくとも第２のケーシングと、そして、第１及び第２ケーシングにそれぞれ配設された化粧品ユニットを備えた、持ち運びに便利で、使い勝手よく手軽に使用することのできる多機能式化粧品用容器を提供することである。
【課題を解決するための手段】
【０００４】
本考案の請求項１に係る多機能式化粧品用容器は、前記容器が少なくとも上面部、底面部のいずれかに開口部を有し、相対向する側壁部と、その内部に限定され内壁面を有する内部開口室と、該内部開口室の内壁面に限定された少なくとも１個の係合凹部とを有する第１ケーシングと、少なくとも１つの係合凹部に対してそれぞれ対応し、前記相対向する外側壁部に限定された少なくとも１つの係止用の接合面であって、係止用の接合面を貫通して限定され前記内部開口室にある少なくとも１つの係合凹部の一つと連通するフック用スロットと、係止用の接合面に形成された摺動用フックを有する係止用の接合面と、前記第１ケーシングに摺動可能に着脱可能に設置され、前記第１ケーシングに係止用の接合面にそれぞれ対応する少なくとも第２ケーシングであって、前記第２ケーシングが、少なくとも上面部、底面部のいずれかに開口部を有し、前記第２ケーシング内部に限定され内壁面を有する内部開口室を有し、前記第２ケーシングの内部開口室の外側壁面には前記第１ケーシングの係止用の接合面と対応して摺動可能に係合するように係止用の接合面が形成され、前記第２ケーシングの係止用の接合面には、第２ケーシングの係止用の接合面を貫通して、第２ケーシングにある係合凹部と連通し、前記第１ケーシング上の対応する係止用の接合面に摺動用フックを摺動可能に保持するフック用スロットと、第２ケーシングの係止用の接合面に形成され、前記第１ケーシングの係止用の接合面に形成した前記フック用スロットを貫通して摺動可能に伸張し、前記第１ケーシングの少なくとも１つの係合凹部の内の対応する凹部に引っかかるようになる摺動用フックを有する第２ケーシングと、前記第１および第２ケーシングにそれぞれ対応して配置され、それぞれの内部開口室に着脱可能に配置される化粧品ユニットであって、個々の化粧ユニットが、前記第１および第２ケーシングの対応するケーシングの内部開口室に着脱可能に設置される内部中空の本体部と、前記第１および第２ケーシングの対応するケーシングに隣接して着脱可能に設置され、該第１および第２ケーシングの対応するケーシングの内部開口室を覆い、前記本体部を着脱可能に保持するように形成された保持用孔を有するキャップ部とを有しており、前記第１ケーシングの少なくとも一つの係止用の接合面は、それぞれ、更に、前記係止用の接合面には、前記フック用スロットと摺動フックとの間に摺動用スロットが形成されており、前記摺動用スロットの内部表面には、弾性を有する弾撥タブが２個、該摺動用スロットから外部に向けて形成されており、前記第２ケーシングの少なくとも一つの係止用の接合面は、それぞれ、更に、スライドが形成されていて、前記第１ケーシングの対応する係止用の接合面にある摺動用スロットに摺動可能に配置され、前記スライドには位置決めノッチが形成され、前記第１ケーシングの対応する係止用の接合面に形成された位置決め用ボスの内の１つと選択的に係合するようにしたことを特徴とする。
【０００５】
請求項２の考案は、請求項１に記載の多機能式化粧品用容器において、前記第１ケーシングは、その相対向する側壁部の内の一側部のみに係合凹部及び係止用の接合面が形成されており、前記多機能式化粧品用容器は、第１ケーシングの単一係止用の接合面に対応するに単一の第２ケーシングと、第１および第２ケーシングに対応する２つの化粧ユニットと、を有することを特徴とする。
【０００６】
請求項３の考案は、請求項１に記載の多機能式化粧品用容器において、第１ケーシングには、その相対向する両側壁部それぞれに係合凹部及び係止用の接合面が形成されており、１個の第１ケーシングと２個の第２ケーシングとに対応して３個の化粧品ユニットが配置されることを特徴とする。
【考案の効果】
【０００７】
本考案の多機能式化粧品用容器はそれぞれの化粧品ユニットに異なる化粧品を装備して、互いに結合させてコンパクトに一纏めにすることができるので、複数種の化粧品を持ち運ぶのに便利であると共に、使用時に互いの化粧品ユニットをずらすように動かすだけでキャップを簡単に外せるので、非常に使い易く利便性に富んでいる。
【考案を実施するための最良の形態】
【０００８】
以下、図面を参照しながら、実施例を挙げて、本考案について詳しく説明する。
図１は、本考案の多機能式化粧品用容器の第１実施例を示す分解斜視図、図２は、図１に示す本願の実施例の組み付け状態における水平横断面図、図３は、図１に示す本願の実施例の縦断面図、図４は、本願の第１実施例と同様の分解斜視図であるが、第１ケーシングにはブラシではなく口紅が装着されている変形例を示している。図５は図４に示す変形例の縦断面図、図６は、図１実施例及び図４の変形例の多機能式化粧品用容器の外観斜視図、図７は図６に示す本考案の多機能式化粧品用容器の第１ケーシング及び第２ケーシングそれぞれを逆方向にスライドさせた使用状態を示す斜視図である。
図８は、本考案の多機能式化粧品用容器の第２実施例を示す分解斜視図であり、図９は第２実施例の多機能式化粧品用容器の第１ケーシングの斜視図であり、第１ケーシングの内部開口室部が上下逆転させた状態に示されている。図１０は第２実施例の多機能式化粧品用容器の縦断面図で、図１１は図１０の多機能式化粧品用容器の横断面図、図１２は図８の第２の実施例における多機能式化粧品用容器の組立て状態の全体斜視図、図１３は図１２の多機能式化粧品用容器の使用状態を示す斜視図である。
【実施例１】
【０００９】
図１〜図８を用いて本考案の多機能式化粧品用容器について説明する。
この多機能式化粧品用容器は、第１のケーシング１０と、少なくとも１個の第２のケーシング２０と、複合化粧品ユニット３０とから構成される。
【００１０】
図１及び図４に示す本考案の第１実施例およびその変形例の多機能式化粧品用容器は、第２ケーシング２０は１個であり、複合化粧品ユニット３０が２個である。
【００１１】
後述の図８に示す第２の実施例の多機能式化粧品用容器は、第２ケーシング２０は２個で、複合化粧品ユニット３０は３個である。
図１，４，８，９に示すように、第１ケーシング１０は、有底で内部に矩形状の内部開口室１１を備えると共に、少なくとも１つの内壁面には係合凹部１２が形成されており、外観がほぼ角柱体状に形成されたものであり、少なくとも１つの外側壁面には平坦な係止用の接合面１３が形成されている。
【００１２】
第１の実施例の多機能式化粧品用容器の第１ケーシング１０には、係合凹部１２が１つであるが、第２の実施の形態になる多機能式化粧品用容器の第１ケーシング１０には係合凹部２２が対向位置それぞれに限定されて２箇所設けられている。
【００１３】
少なくとも１つの係止用の接合面１３が、係合凹部１２とそれぞれ対応して形成されていて、第１実施例の対応の多機能式化粧品用容器では、第１ケーシング１０の外側壁面部の一側に１個だけ形成されており、後述の第２実施例に示す多機能式化粧品用容器には２個の係止用の接合面１３が、第１ケーシングの相対向する両側壁面部にそれぞれ形成されている。
前記係止用の接合面１３は、フック用のスロット部１４、摺動フック１５、摺動用スロット１８、２個の弾撥タブ１７、そして２個の位置決め用ボス１６が設けられている。
【００１４】
フック用のスロット部１４は係止用の接合面１３を貫通して形成されており、内部開口室１１の内壁に形成された対応する係合凹部１２に連通している。摺動フック１５は係止用の接合面１３上に突出形成されている。摺動用スロット１８は係止用の接合面１３のフック用スロット１４と摺動フック１５の間に限定されている。弾撥タブ１７は弾性を有するものであり、摺動用スロット１８の内側表面に２個形成されていて、各弾撥タブ１７の末端部には位置決め用ボスが摺動用スロット１８から外方に向けて形成されている。
【００１５】
図１，４，８，９に示すように、第２ケーシング２０は、第１ケーシング１０の係止用の接合面１３に対応させて第１ケーシング１０に摺動可能で取外し可能に設置される。第１実施例の多機能式化粧品用容器では、第２ケーシング２０は１個しかないが、第２実施例の多機能式化粧品用容器では、第１ケーシング１０の両側面に配置された係止用の接合面１３にそれぞれ対応して２個の第２ケーシング２０が備わっている。
【００１６】
第２ケーシング２０は、ほぼ矩形状の角柱状に形成され、上面部および側壁面部を有し、底面部が開口した内部開口室２１を有し、そして外側壁面１つには係止用の接合面２３が形成されている。そして、第２ケーシング２０の内部開口室２１の内壁面には係合凹部２２が形成されている。
【００１７】
図２，３，１０，１１を参照すると、第２ケーシング２０の外側壁面部に係止用の接合面２３が形成されていて、前記第１ケーシング１０の対応する係止用の接合面１３と摺動自在に対応するフック用スロット２４と、摺動用フック２５と、スライド２７とが備わっている。
フック用スロット２４は、第２ケーシング２０の係止用の接合面２３を貫通して形成されていて、第２ケーシング２０の係合凹部２２と連通し、第１ケーシング１０の対応する係止用の接合面１３にある摺動用フック１５がこのスロット２４に嵌って摺動可能に保持されるようになっている。
【００１８】
第２ケーシング２０の係止用の接合面２３には摺動用フック２５が形成されていて、フック用のスロット部１４を摺動可能に貫通して、第１ケーシング１０の少なくとも１個の係合凹部２２に対応して引っかかるようになっている。
第２ケーシング２０の係止用の接合面２３にはスライド２７が形成されていて、第１ケーシング１０の対応する係止用の接合面１３にある摺動用スロット１８に摺動可能に設置されており、且つスライド２７の外面ほぼ中央部には位置決めノッチ２６が設けられている。このスライド２７に形成されている位置決めノッチ２６は、第１ケーシング１０の対応する係止用の接合面１３の位置決め用ボス１６の１つに選択的に係合するようになる。位置決め用ボス１６と位置決めノッチ２６との係合により、不用意に滑ったりしないで第２ケーシング２０を第１ケーシング１０上に安定的に位置決めすることができる。
【００１９】
図１，４，５，８を更に説明すると、複合化粧品ユニット３０が第１及び第２ケーシング１０，２０にそれぞれ対応して配置されており、内部開口室１１，２１にそれぞれ着脱可能に配置されている。複合化粧品ユニット３０は随意に取り替えられるようになっている。
【００２０】
本考案の多機能式化粧品用容器の第１実施例では、複合化粧品ユニット３０は２個である。本考案の多機能式化粧品用容器の第２実施例では、複合化粧品ユニット３０は３個である。個々の複合化粧品ユニット３０は、首部３２１を備えた本体部３２とキャップ部３１とから成る。
【００２１】
本体部３２は中空で、第１及び第２ケーシング１０，２０の内の対応する内部開口室１１，２１に着脱可能に収容されていて、口紅とかアイライナークリームのような化粧品を収納するようになっている。
キャップ部３１は本体部３２上に第１及び第２ケーシング１０，２０に隣接して着脱可能に配置され、第１及び第２ケーシング１０，２０の内部開口室１１，２１の開口を覆う。キャップ部３１には保持用孔３１１が形成されていて、この保持用孔３１１と本体部３２の首部３２１とを着脱可能に螺合させて、本体部３２を保持する。
【００２２】
図１に示す本考案の第１実施例では、多機能式化粧品用容器は首部３２１を有する本体部３２を２個、そして、それに対応するキャップ部３１が２個使用されている。本体部３２はボトル（瓶）である。各々のボトルには開口部があり、該開口部周囲には外ネジ３２１が形成されている。
【００２３】
キャップ部３１は、その保持用孔３１１に、ボトルの外ネジ３２１と係合するように内ネジが形成されていて、更に、ボトルの中に伸張する器具３３が設けられている。この器具３３は、例えばブラシである。あるいはまた、上述したように一方の本体部３２はボトルであるが、図４の変形例に示すように、他方の本体部３２２は、口紅、ノブ３２３、外側スリーブ３４から構成される口紅チューブである。口紅は口紅チューブに配置されている。ノブ３２３は口紅チューブに回転可能に設置されていて、回転させると口紅が出てきたり引っ込んだりするようになっている。外側スリーブ３４は口紅チューブに配置されていて、口紅のカバーとなる。一方のキャップ部３１には上述したように内側ネジ３１１がついているが、この口紅チューブの場合には、他方のキャップ３１にはこの口紅チューブ保持用の据え付け孔が形成されている。
【実施例２】
【００２４】
本考案の多機能式化粧品用容器の第２実施例を図８について説明する。
第２実施例の多機能式化粧品用容器は、首部３２１が設けられた本体部３２が２個と、本体部３２２が一個の計３個、及び各キャップ部３１が３個で構成されている。
この内２つの本体部３２は上述したようにボトルであるが、残りの本体部３２は外側スリーブのついた口紅チューブである。口紅チューブは、口紅、ノブ３２３、外側スリーブ３４から構成され、口紅チューブには口紅が配置され、ノブが回転可能に設置されている。口紅チューブの周囲には外側スリーブが配置される。２つのキャップ部３１には上述したようにそれぞれ内側ネジ３１１が配置されているが、残りのキャップ部３１にはこの口紅チューブ保持用の据え付け孔が形成されている。
【００２５】
図６および図１２示すように、多機能式化粧品用容器を携帯して持ち運ぶ場合には、第１及び第２ケーシング１０，２０を互いに整合させて小型に持ち運びし易くする。
【００２６】
図８及び１３に示すように、多機能式化粧品用容器を使用する場合には、第１及び第２ケーシング１０，２０を互いに対して摺動させて互い違いの配列にさせることで、複合化粧品ユニット３０を即座に摘み挙げることができるようになる。
【００２７】
本考案の多機能式化粧品用容器，２は異なる複合化粧品ユニット３０をコンパクトに１つにまとめて一体にすることができるので、化粧品ユニット３０の持ち運びが簡単で便利である。
【図面の簡単な説明】
【００２８】
【図１】本考案の多機能式化粧品用容器の第１実施例を示す分解斜視図、
【図２】図１に示す第１実施例の組み合わせた上体の水平横断面図、
【図３】図１に示す第１実施例の組み合わせた上体の縦断面図、
【図４】本願の多機能式化粧品用容器の第１実施例の変形例を示し、第１ケーシングにはブラシではなく口紅が装着された状態の分解斜視図、
【図５】図４に示す変形例の縦断面図、
【図６】図１及び図４の実施例による多機能式化粧品用容器の外観斜視図、
【図７】図６に示す本考案の多機能式化粧品用容器の第１ケーシング及び第２ケーシングそれぞれを双方逆方向にスライドさせた使用状態を示す斜視図、
【図８】本考案の多機能式化粧品用容器の第２実施例の形態を示す分解斜視図、
【図９】本考案の第２実施例の多機能式化粧品用容器の第１ケーシングの内部開口室部を上下逆転させた状態に示した第１ケーシングの斜視図、
【図１０】本考案の第２実施例になる多機能式化粧品用容器の組み合わせた状態の縦断面図、
【図１１】図１０の多機能式化粧品用容器の横断面図、
【図１２】図８の第２実施例の多機能式化粧品用容器の組立て完成斜視図、
【図１３】図１２の多機能式化粧品用容器の使用状態を示す斜視図である。
【符号の説明】
【００２９】
１０    第１ケーシング
１１    内部開口室
１２    係合凹部
１３    第１ケーシングの係止用の接合面
１５    摺動用フック
１６    位置決め用ボス
１８    摺動用スロット
２０    第２ケーシング
２１    内部開口室
２２    係合凹部
２３    第２ケーシングの係止用の接合面
２４    フック用スロット
２５    摺動用フック
２６    位置決めノッチ
２７    スライド
３０    複合化粧品ユニット
３１    キャップ部
３２    本体部
【図１】
0003127399.tif 000003
【図２】
0003127399.tif 000004
【図３】
0003127399.tif 000005
【図４】
0003127399.tif 000006
【図５】
0003127399.tif 000007
【図６】
0003127399.tif 000008
【図７】
0003127399.tif 000009
【図８】
0003127399.tif 000010
【図９】
0003127399.tif 000011
【図１０】
0003127399.tif 000012
【図１１】
0003127399.tif 000013
【図１２】
0003127399.tif 000014
【図１３】
0003127399.tif 000015